(57)【要約】【課題】ストロボ装置を設けずに、暗い場所で被写体を撮影できるようにする。【解決手段】表示手段２により、自携帯端末装置を携帯端末として使用する通常使用時には通常使用時に用いるための情報を表示し、カメラ１により被写体を撮影するときには自表示手段２の照度により被写体を照明し、カメラ１により被写体を撮影する。【選択図】      図１
2004260560.tif 000002
【特許請求の範囲】
【請求項１】
被写体を撮影するカメラと、
自携帯端末装置を携帯端末として使用する通常使用時には通常使用時に用いるための情報を表示し、前記カメラにより前記被写体を撮影するときには自表示手段の照度により前記被写体を照明する表示手段と、
を備えたことを特徴とするカメラ付き携帯端末装置。
【請求項２】
前記表示手段は、前記カメラのシャッターの作動に合わせて予め定めた第１の明るさで光ることにより前記被写体を照明することを特徴とする請求項１記載のカメラ付き携帯端末装置。
【請求項３】
前記表示手段は、前記カメラのシャッターが作動するまでの間は前記第１の明るさより暗い予め定めた第２の明るさで光ることを特徴とする請求項２記載のカメラ付き携帯端末装置。
【請求項４】
前記表示手段は、前記カメラにより前記被写体を動画として撮影する場合には、予め定めた第１の明るさで光り続けることにより前記被写体を照明することを特徴とする請求項１記載のカメラ付き携帯端末装置。
【請求項５】
前記第１の明るさを、前記表示手段の有する定格電流値の上限の電流をこの表示手段に流したときの明るさとしたことを特徴とする請求項２、３及び４記載のカメラ付き携帯端末装置。
【請求項６】
前記表示手段は、液晶デバイスとこの液晶デバイスを照らすバックライトとを有し、前記カメラにより前記被写体を撮影するときに前記液晶デバイスを白に表示して前記バックライトを点灯することにより、この表示手段を光らせて前記被写体を照明するようにしたことを特徴とする請求項１、２、３、４及び５記載のカメラ付き携帯端末装置。
【請求項７】
前記表示手段は、着信したことを示す表示を行う着信ランプを有し、前記カメラにより前記被写体を撮影するときに前記着信ランプを点灯することにより、この表示手段を光らせて前記被写体を照明するようにしたことを特徴とする請求項１、２、３、４及び５記載のカメラ付き携帯端末装置。
【請求項８】
自携帯端末装置の筐体の一面に備えられ、自携帯端末装置を携帯端末として使用する通常使用時には通常使用時に用いるための情報を表示する液晶デバイスと、
前記液晶デバイスのバックライトと、
前記液晶デバイスの設置された面と同じ面に備えられ、被写体を撮影するカメラと、
周囲の明るさにより照明の必要程度を感知する照度センサと、
前記カメラにより前記被写体を撮影するときに、前記照度センサが照明を必要とすることを感知している場合、前記液晶デバイスを白に表示させ、前記カメラのシャッターの動作状況に合わせて前記バックライトを点灯させる駆動回路と、
を備えたことを特徴とするカメラ付き携帯端末装置。
【請求項９】
前記駆動回路は、前記照度センサが前記シャッターの作動時に照明が必要であることを感知している場合、前記カメラのシャッターの作動に合わせて予め定めた第１の明るさで前記バックライトを点灯させることを特徴とする請求項８記載のカメラ付き携帯端末装置。
【請求項１０】
前記駆動回路は、前記照度センサが前記被写体の撮影期間中に照明が必要であることを感知している場合、前記カメラのシャッターが作動するまでの間は予め定めた第１の明るさより暗い予め定めた第２の明るさで前記バックライトを点灯させ、前記カメラのシャッターの作動に合わせて前記第１の明るさで前記バックライトを点灯させることを特徴とする請求項８記載のカメラ付き携帯端末装置。
【請求項１１】
前記駆動回路は、前記カメラにより前記被写体を動画として撮影する場合には、予め定めた第１の明るさで前記バックライトを点灯し続けさせることを特徴とする請求項８記載のカメラ付き携帯端末装置。
【請求項１２】
前記第１の明るさを、前記バックライトの有する定格電流値の上限の電流をこのバックライトに流したときの明るさとしたことを特徴とする請求項９、１０及び１１記載のカメラ付き携帯端末装置。
【請求項１３】
自携帯端末装置の筐体の一面に備えられ、自携帯端末装置を携帯端末として使用する通常使用時には着信したことを示す表示を行う着信ランプと、
前記着信ランプの設置された面と同じ面に備えられ、被写体を撮影するカメラと、
周囲の明るさにより照明の必要程度を感知する照度センサと、
前記カメラにより前記被写体を撮影するときに、前記照度センサが照明を必要とすることを感知している場合、前記カメラのシャッターの動作状況に合わせて前記着信ランプを点灯させる駆動回路と、
を備えたことを特徴とするカメラ付き携帯端末装置。
【請求項１４】
前記駆動回路は、前記照度センサが前記シャッターの作動時に照明が必要であることを感知している場合、前記カメラのシャッターの作動に合わせて予め定めた第１の明るさで前記着信ランプを点灯させることを特徴とする請求項１３記載のカメラ付き携帯端末装置。
【請求項１５】
前記駆動回路は、前記照度センサが前記被写体の撮影期間中に照明が必要であることを感知している場合、前記カメラのシャッターが作動するまでの間は予め定めた第１の明るさより暗い予め定めた第２の明るさで前記着信ランプを点灯させ、前記カメラのシャッターの作動に合わせて前記第１の明るさで前記着信ランプを点灯させることを特徴とする請求項１４記載のカメラ付き携帯端末装置。
【請求項１６】
前記駆動回路は、前記カメラにより前記被写体を動画として撮影する場合には、予め定めた第１の明るさで前記着信ランプを点灯し続けさせることを特徴とする請求項１３記載のカメラ付き携帯端末装置。
【請求項１７】
前記第１の明るさを、前記着信ランプの有する定格電流値の上限の電流をこの着信ランプに流したときの明るさとしたことを特徴とする請求項１４、１５及び１６記載のカメラ付き携帯端末装置。
【請求項１８】
携帯端末装置に予め備えられたカメラの撮影する被写体を照明するカメラ付き携帯端末装置の照明方法において、
前記カメラにより前記被写体を撮影するときに、このカメラを備えた前記携帯端末装置の表示手段の照度により前記被写体を照明するようにしたことを特徴とするカメラ付き携帯端末装置の照明方法。
【請求項１９】
前記表示手段を、前記カメラのシャッターの作動に合わせて予め定めた第１の明るさで光らせることにより前記被写体を照明するようにしたことを特徴とする請求項１８記載のカメラ付き携帯端末装置の照明方法。
【請求項２０】
前記表示手段を、前記カメラのシャッターが作動するまでの間は前記第１の明るさより暗い予め定めた第２の明るさで光らせるようにしたことを特徴とする請求項１９記載のカメラ付き携帯端末装置の照明方法。
【請求項２１】
前記カメラにより前記被写体を動画として撮影する場合には、前記表示手段を予め定めた第１の明るさで光らせ続けることにより前記被写体を照明するようにしたことを特徴とする請求項１８記載のカメラ付き携帯端末装置の照明方法。
【請求項２２】
前記第１の明るさを、前記表示手段の有する定格電流値の上限の電流をこの表示手段に流したときの明るさとしたことを特徴とする請求項１９、２０及び２１記載のカメラ付き携帯端末装置の照明方法。
【請求項２３】
前記表示手段は、液晶デバイスとこの液晶デバイスを照らすバックライトとを有し、前記カメラにより前記被写体を撮影するときに前記液晶デバイスを白に表示して前記バックライトを点灯することにより、この表示手段を光らせて前記被写体を照明するようにしたことを特徴とする請求項１８、１９、２０、２１及び２２記載のカメラ付き携帯端末装置の照明方法。
【請求項２４】
前記表示手段は、着信したことを示す表示を行う着信ランプを有し、前記カメラにより前記被写体を撮影するときに前記着信ランプを点灯することにより、この表示手段を光らせて前記被写体を照明するようにしたことを特徴とする請求項１８、１９、２０、２１及び２２記載のカメラ付き携帯端末装置の照明方法。
【発明の詳細な説明】
【０００１】
【発明の属する技術分野】
本発明はカメラ付き携帯端末装置及びカメラ付き携帯端末装置の照明方法に関し、特に携帯端末装置に予め備えられたカメラの撮影する被写体を照明するカメラ付き携帯端末装置及びカメラ付き携帯端末装置の照明方法に関する。
【０００２】
【従来の技術】
従来、この種のカメラ付き携帯端末装置は、携帯端末装置を携帯端末として使用する通常使用に用いるとともに携帯端末装置に設けられたカメラにより被写体を撮影するために用いられている。
【０００３】
従来のカメラ付き携帯端末装置は、暗い場所でも被写体を撮影できるようにするため、例えば、特許文献１に開示されているように、携帯端末装置にストロボ装置を設け、このストロボ装置をレリーズボタンのレリーズ操作で発光させることにより被写体をストロボ光で照明して撮影している。
【０００４】
【特許文献１】
特開２００１−３２０６２２号公報（請求項１、図１）
【０００５】
【発明が解決しようとする課題】
上述した従来のカメラ付き携帯端末装置は、ストロボ装置を設け、このストロボ装置を発光させることにより被写体を照明して、暗い場所でも被写体を撮影できるようにしているため、携帯端末装置にストロボ装置を設ける必要があるので、このストロボ装置分の実装体積を確保する必要があるとともに、携帯端末装置がストロボ装置分重くなりストロボ装置分の価格がアップするという問題がある。
【０００６】
本発明の目的はこのような従来の欠点を除去するため、携帯端末装置にストロボ装置を設ける必要がなく、したがって、このストロボ装置分の実装体積を確保する必要がなくストロボ装置分重くならずストロボ装置分の価格がアップしないカメラ付き携帯端末装置を提供することにある。
【０００７】
【課題を解決するための手段】
本発明の第１のカメラ付き携帯端末装置は、
被写体を撮影するカメラと、
自携帯端末装置を携帯端末として使用する通常使用時には通常使用時に用いるための情報を表示し、前記カメラにより前記被写体を撮影するときには自表示手段の照度により前記被写体を照明する表示手段と、
を備えて構成されている。
【０００８】
また、本発明の第１のカメラ付き携帯端末装置の前記表示手段は、前記カメラのシャッターの作動に合わせて予め定めた第１の明るさで光ることにより前記被写体を照明するようにしている。
【０００９】
更に、本発明の第１のカメラ付き携帯端末装置の前記表示手段は、前記カメラのシャッターが作動するまでの間は前記第１の明るさより暗い予め定めた第２の明るさで光るようにしている。
【００１０】
また、本発明の第１のカメラ付き携帯端末装置の前記表示手段は、前記カメラにより前記被写体を動画として撮影する場合には、予め定めた第１の明るさで光り続けることにより前記被写体を照明するようにしている。
【００１１】
更に、本発明の第１のカメラ付き携帯端末装置は、前記第１の明るさを、前記表示手段の有する定格電流値の上限の電流をこの表示手段に流したときの明るさとしている。
【００１２】
また、本発明の第１のカメラ付き携帯端末装置の前記表示手段は、液晶デバイスとこの液晶デバイスを照らすバックライトとを有し、前記カメラにより前記被写体を撮影するときに前記液晶デバイスを白に表示して前記バックライトを点灯することにより、この表示手段を光らせて前記被写体を照明するようにしている。
【００１３】
更に、本発明の第１のカメラ付き携帯端末装置の前記表示手段は、着信したことを示す表示を行う着信ランプを有し、前記カメラにより前記被写体を撮影するときに前記着信ランプを点灯することにより、この表示手段を光らせて前記被写体を照明するようにしている。
【００１４】
本発明の第２のカメラ付き携帯端末装置は、自携帯端末装置の筐体の一面に備えられ、自携帯端末装置を携帯端末として使用する通常使用時には通常使用時に用いるための情報を表示する液晶デバイスと、
前記液晶デバイスのバックライトと、
前記液晶デバイスの設置された面と同じ面に備えられ、被写体を撮影するカメラと、
周囲の明るさにより照明の必要程度を感知する照度センサと、
前記カメラにより前記被写体を撮影するときに、前記照度センサが照明を必要とすることを感知している場合、前記液晶デバイスを白に表示させ、前記カメラのシャッターの動作状況に合わせて前記バックライトを点灯させる駆動回路と、
を備えて構成されている。
【００１５】
また、本発明の第２のカメラ付き携帯端末装置の前記駆動回路は、前記照度センサが前記シャッターの作動時に照明が必要であることを感知している場合、前記カメラのシャッターの作動に合わせて予め定めた第１の明るさで前記バックライトを点灯させるようにしている。
【００１６】
更に、本発明の第２のカメラ付き携帯端末装置の前記駆動回路は、前記照度センサが前記被写体の撮影期間中に照明が必要であることを感知している場合、前記カメラのシャッターが作動するまでの間は予め定めた第１の明るさより暗い予め定めた第２の明るさで前記バックライトを点灯させ、前記カメラのシャッターの作動に合わせて前記第１の明るさで前記バックライトを点灯させるようにしている。
【００１７】
また、本発明の第２のカメラ付き携帯端末装置の前記駆動回路は、前記カメラにより前記被写体を動画として撮影する場合には、予め定めた第１の明るさで前記バックライトを点灯し続けさせるよにしている。
【００１８】
本発明の第３のカメラ付き携帯端末装置は、自携帯端末装置の筐体の一面に備えられ、自携帯端末装置を携帯端末として使用する通常使用時には着信したことを示す表示を行う着信ランプと、
前記着信ランプの設置された面と同じ面に備えられ、被写体を撮影するカメラと、
周囲の明るさにより照明の必要程度を感知する照度センサと、
前記カメラにより前記被写体を撮影するときに、前記照度センサが照明を必要とすることを感知している場合、前記カメラのシャッターの動作状況に合わせて前記着信ランプを点灯させる駆動回路と、
を備えて構成されている。
【００１９】
また、本発明の第３のカメラ付き携帯端末装置の前記駆動回路は、前記照度センサが前記シャッターの作動時に照明が必要であることを感知している場合、前記カメラのシャッターの作動に合わせて予め定めた第１の明るさで前記着信ランプを点灯させるようにしている。
【００２０】
更に、本発明の第３のカメラ付き携帯端末装置の前記駆動回路は、前記照度センサが前記被写体の撮影期間中に照明が必要であることを感知している場合、前記カメラのシャッターが作動するまでの間は予め定めた第１の明るさより暗い予め定めた第２の明るさで前記着信ランプを点灯させ、前記カメラのシャッターの作動に合わせて前記第１の明るさで前記着信ランプを点灯させるようにしている。
【００２１】
また、本発明の第３のカメラ付き携帯端末装置の前記駆動回路は、前記カメラにより前記被写体を動画として撮影する場合には、予め定めた第１の明るさで前記着信ランプを点灯し続けさせるようにしている。
【００２２】
本発明の第１のカメラ付き携帯端末装置の照明方法は、携帯端末装置に予め備えられたカメラの撮影する被写体を照明するカメラ付き携帯端末装置の照明方法において、
前記カメラにより前記被写体を撮影するときに、このカメラを備えた前記携帯端末装置の表示手段の照度により前記被写体を照明するようにしている。
【００２３】
また、本発明の第１のカメラ付き携帯端末装置の照明方法の前記表示手段を、前記カメラのシャッターの作動に合わせて予め定めた第１の明るさで光らせることにより前記被写体を照明するようにしている。
【００２４】
更に、本発明の第１のカメラ付き携帯端末装置の照明方法の前記表示手段を、前記カメラのシャッターが作動するまでの間は前記第１の明るさより暗い予め定めた第２の明るさで光らせるようにしている。
【００２５】
また、本発明の第１のカメラ付き携帯端末装置の照明方法は、前記カメラにより前記被写体を動画として撮影する場合には、前記表示手段を予め定めた第１の明るさで光らせ続けることにより前記被写体を照明するようにしている。
【００２６】
更に、本発明の第１のカメラ付き携帯端末装置の照明方法は、前記第１の明るさを、前記表示手段の有する定格電流値の上限の電流をこの表示手段に流したときの明るさとしている。
【００２７】
また、本発明の第１のカメラ付き携帯端末装置の照明方法の前記表示手段は、液晶デバイスとこの液晶デバイスを照らすバックライトとを有し、前記カメラにより前記被写体を撮影するときに前記液晶デバイスを白に表示して前記バックライトを点灯することにより、この表示手段を光らせて前記被写体を照明するようにしている。
【００２８】
更に、本発明の第１のカメラ付き携帯端末装置の照明方法の前記表示手段は、着信したことを示す表示を行う着信ランプを有し、前記カメラにより前記被写体を撮影するときに前記着信ランプを点灯することにより、この表示手段を光らせて前記被写体を照明するようにしている。
【００２９】
【発明の実施の形態】
次に、本発明の実施の形態について図面を参照して説明する。
【００３０】
図１は、本発明のカメラ付き携帯端末装置の第１の実施の形態を示すブロック図である。
【００３１】
図１に示す本実施の形態は、被写体を撮影するカメラ１と、周囲の明るさにより照明の必要程度を感知する照度センサ３と、自携帯端末装置（携帯電話７等）を携帯端末として使用する通常使用時には通常使用時に用いるための情報を表示し、カメラ１により被写体を撮影するときには自表示手段２の照度により被写体を照明する表示手段２とにより構成されている。
【００３２】
表示手段２は、携帯電話７等の携帯端末装置を電話や電子メール等の携帯端末として使用する通常使用時に用いるための情報を表示するＬＣＤ等の液晶デバイス６と、この液晶デバイス６のバックライト５と、カメラ１により被写体を撮影するときに、照度センサ３が照明を必要とすることを感知している場合、液晶デバイス６を白に表示させ、カメラ１のシャッターの動作状況に合わせてバックライト５を点灯させる駆動回路４とにより構成されている。
【００３３】
次に、本実施の形態のカメラ付き携帯端末装置の動作を図２及び図３を参照して詳細に説明する。
【００３４】
図２は、折り畳み型携帯電話を背面より見たときの一例を示す斜視図である。この携帯電話７の背面の上部の筐体には、携帯電話７の通常使用時に用いるための情報（例えば、着信番号、電子メール受信有無等）を表示するサブ液晶デバイス９と、このサブ液晶デバイス９の裏側（サブ液晶デバイス９の下）に設定されるサブバックライト１０と、カメラ１と、照度センサ３と、アンテナ８とが備えられている。カメラ１とサブ液晶デバイス９とは常に同じ方向を向くように設置する。サブバックライト１０はＬＥＤ、ＥＬ（エレクトロ・ルミネッセンス）等である。このサブ液晶デバイス９とサブバックライト１０とが、図１の液晶デバイス６とバックライト５とに対応する。
【００３５】
図３は、折り畳み型携帯電話の前面より見たときの一例を示す斜視図である。この携帯電話７の前面の上部の筐体には、携帯電話７の通常使用時に用いるための情報（例えば、携帯電話７の操作メニュー、電子メールの内容等）を表示するメイン液晶デバイス１１と、このメイン液晶デバイス１１の裏側（メイン液晶デバイス１１の下）に設定されるメインバックライト１２と、が備えられている。メインバックライト１２はＬＥＤ、ＥＬ等である。また、この携帯電話７の前面の下部の筐体には、この携帯電話７の操作ボタン１３等が備えられている。
【００３６】
図１において、操作者がカメラ１により被写体を撮影することを希望するときに、例えば、この操作者が操作ボタン１３を操作して、メイン液晶デバイス１１に携帯電話７の操作メニューを表示し、この操作メニューより「カメラを使用」を選択すると、携帯電話７はカメラ１の使用状態になり、カメラ１で被写体を撮影することができるようになる。
【００３７】
そして、照度センサ３は、周囲の明るさによりカメラ１による撮影時での照明の必要程度を感知する。
【００３８】
照度センサ３は、周囲の明るさが例えば１０ルクス以下のときに、「撮影時に照明を必要とする」を示す信号を出力する。そして、１０ルクス以下であり例えば５ルクス以上のときには「シャッターの作動時に照明を必要とする」を示す信号を出力する。５ルクス以下のときには「被写体の撮影期間中は照明を必要とする」を示す信号を出力する。ここで、シャッターの作動時とは、シャッターが動き、例えば、光をカメラ１内に導く時を言う。また、周囲の明るさの値（１０ルクスと５ルクス）は携帯端末装置により適宜変更して良い。
【００３９】
駆動回路４は、照度センサ３より「シャッターの作動時に照明を必要とする」を示す信号を受けた場合、サブ液晶デバイス９を白に表示させる（サブ液晶デバイス９の透過率を高くするために白表示にする）。そして、操作者がカメラ１を被写体に向け、シャッター（不図示）を押すと、駆動回路４はシャッターの作動に合わせてサブバックライト１０を予め定めた第１の明るさで一瞬点灯させる。
【００４０】
この第１の明るさとは、サブバックライト１０の有する定格電流値の例えば上限の電流をこのサブバックライト１０に流したときの明るさである。上限の電流にこだわることなくシステムにより適宜変更して良い。
【００４１】
このように、ストロボ装置の代わりにサブ液晶デバイス９をシャッターの作動に合わせてストロボ（フラッシュ）のように一瞬光らせることにより、照明が必要である暗い場所でも被写体を撮影することができる。
【００４２】
また、照明無しでは被写体が見えないような暗闇（携帯電話７の周囲の明るさが５ルクス以下）で被写体を撮影するときには、駆動回路４は、照度センサ３より「被写体の撮影期間中は照明を必要とする」を示す信号を受け、サブ液晶デバイス９を白に表示させ、カメラ１のシャッターが作動するまでの間は予め定めた第１の明るさより暗い予め定めた第２の明るさでサブバックライト１０を点灯させ、カメラ１のシャッターの作動に合わせて第１の明るさでサブバックライト１０を一瞬点灯させる。
【００４３】
この第２の明るさとは、サブバックライト１０の有する定格電流値の上限の電流の例えば２／３をこのサブバックライト１０に流したときの明るさである。この電流の大きさはシステムにより適宜変更して良い。
【００４４】
このように、照明の代わりにサブ液晶デバイス９を第２の明るさで光らせることにより、照明無しでは被写体が見えないような暗闇で被写体を照明して被写体を確認することができ、続けて、ストロボ装置の代わりにサブ液晶デバイス９をシャッターの作動に合わせてストロボ（フラッシュ）のように第１の明るさで一瞬光らせて被写体を撮影することができる。
【００４５】
更に、操作者がカメラ１により被写体を動画により撮影することを希望するときに、例えば、この操作者が操作ボタン１３を操作して、メイン液晶デバイス１１に携帯電話７の操作メニューを表示し、この操作メニューより「カメラを使用」を選択した後に「動画により撮影」を選択する。
【００４６】
この場合は、携帯電話７はカメラ１の使用状態になり、カメラ１で被写体を動画を撮影することができるようになる。そして、例えば、照度センサ３が「撮影時に照明を必要とする」を示す信号を出力している場合に、駆動回路４は、サブ液晶デバイス９を白に表示させ予め定めた第１の明るさでサブバックライト１０を点灯し続けさせる。
【００４７】
このように、動画撮影の場合は、周囲の明るさが１０ルクス以下のときには照明が常に必要となるので、照明の代わりにサブ液晶デバイス９を第１の明るさで光らせ続けることにより、照明し続けることができる。
【００４８】
図４は、本発明のカメラ付き携帯端末装置の第２の実施の形態を示すブロック図である。
【００４９】
図４に示す本実施の形態は、被写体を撮影するカメラ１と、周囲の明るさにより照明の必要程度を感知する照度センサ３と、自携帯端末装置（携帯電話１７等）を携帯端末として使用する通常使用時には通常使用時に用いるための情報を表示し、カメラ１により被写体を撮影するときには自表示手段１４の照度により被写体を照明する表示手段１４とにより構成されている。
【００５０】
表示手段１４は、携帯電話１７等の携帯端末装置を電話や電子メール等の携帯端末として使用する通常使用時には着信したことを示す表示を行う着信ランプ１６と、カメラにより被写体を撮影するときに、照度センサ３が照明を必要とすることを感知している場合、カメラのシャッターの動作状況に合わせて着信ランプ１６を点灯させる駆動回路１５とにより構成されている。
【００５１】
次に、本実施の形態のカメラ付き携帯端末装置の動作を図５を参照して詳細に説明する。
【００５２】
図５は、折り畳み型携帯電話を背面より見たときの一例を示す斜視図である。この携帯電話１７の背面の上部の筐体には、携帯電話１７の通常使用時に用いるための情報（例えば、着信したことを示す情報）を表示する着信ランプ１６と、カメラと、照度センサ３と、アンテナ８とが備えられている。カメラと着信ランプ１６とは常に同じ方向を向くように設置する。着信ランプ１６はＬＥＤ、ＥＬ（エレクトロ・ルミネッセンス）等である。この折り畳み型携帯電話１７の前面は図３と同じである。
【００５３】
図４において、操作者がカメラにより被写体を撮影することを希望するときに、第１の実施の形態と同様にして、携帯電話１７はカメラの使用状態になり、カメラで被写体を撮影することができるようになる。
【００５４】
そして、照度センサ３は、周囲の明るさによりカメラによる撮影時での照明の必要程度を感知する。照度センサ３も第１の実施の形態と同様の動作をする。
【００５５】
駆動回路１５は、照度センサ３より「シャッターの作動時に照明を必要とする」を示す信号を受けた場合、操作者がカメラを被写体に向け、シャッター（不図示）を押すと、駆動回路１５はシャッターの作動に合わせて着信ランプ１６を予め定めた第１の明るさで一瞬点灯させる。
【００５６】
このように、ストロボ装置の代わりに着信ランプ１６をシャッターの作動に合わせてストロボ（フラッシュ）のように一瞬光らせることにより、照明が必要である暗い場所でも被写体を撮影することができる。
【００５７】
また、照明無しでは被写体が見えないような暗闇（携帯電話１７の周囲の明るさが５ルクス以下）で被写体を撮影するときには、駆動回路１５は、照度センサ３より「被写体の撮影期間中は照明を必要とする」を示す信号を受け、カメラのシャッターが作動するまでの間は予め定めた第１の明るさより暗い予め定めた第２の明るさで着信ランプ１６を点灯させ、カメラのシャッターの作動に合わせて第１の明るさで着信ランプ１６を一瞬点灯させる。
【００５８】
このように、照明の代わりに着信ランプ１６を第２の明るさで光らせることにより、照明無しでは被写体が見えないような暗闇で被写体を照明して被写体を確認することができ、続けて、ストロボ装置の代わりに着信ランプ１６をシャッターの作動に合わせてストロボ（フラッシュ）のように第１の明るさで一瞬光らせて被写体を撮影することができる。
【００５９】
更に、操作者がカメラにより被写体を動画により撮影することを希望するときにも、第１の実施の形態と同様にして、カメラで被写体を動画を撮影することができるようになる。そして、例えば、照度センサ３が「撮影時に照明を必要とする」を示す信号を出力している場合に、駆動回路１５は、予め定めた第１の明るさで着信ランプ１６を点灯し続けさせる。
【００６０】
このように、動画撮影の場合は、周囲の明るさが１０ルクス以下のときには照明が常に必要となるので、照明の代わりに着信ランプ１６を第１の明るさで光らせ続けることにより、照明し続けることができる。
【００６１】
以上の説明において、第２の実施の形態では照明用として使用するランプを着信ランプ１６にしたが、着信ランプ１６にこだわることなく携帯端末装置に付属する任意のランプを使用して良い。
【００６２】
【発明の効果】
以上説明したように、本発明のカメラ付き携帯端末装置によれば、表示手段により、携帯端末装置の通常使用時には通常使用時に用いるための情報を表示し、カメラで被写体を撮影するときにはこの表示手段の照度により被写体を照明するようにしたため、暗い場所で被写体を撮影するときに、携帯端末装置にストロボ装置を設ける必要がなく、したがって、このストロボ装置分の実装体積を確保する必要がなくストロボ装置分重くならない。また、ストロボ装置分価格がアップしない。
【図面の簡単な説明】
【図１】本発明のカメラ付き携帯端末装置の第１の実施の形態を示すブロック図である。
【図２】折り畳み型携帯電話を背面より見たときの一例を示す斜視図である。
【図３】折り畳み型携帯電話の前面より見たときの一例を示す斜視図である。
【図４】本発明のカメラ付き携帯端末装置の第２の実施の形態を示すブロック図である。
【図５】折り畳み型携帯電話を背面より見たときの一例を示す斜視図である。
【符号の説明】
１    カメラ
２    表示手段
３    照度センサ
４    駆動回路
５    バックライト
６    液晶デバイス
７    携帯電話
８    アンテナ
９    サブ液晶デバイス
１０    サブバックライト
１１    メイン液晶デバイス
１２    メインバックライト
１３    操作ボタン
１４    表示手段
１５    駆動回路
１６    着信ランプ
１７    携帯電話
【図１】
2004260560.tif 000003
【図２】
2004260560.tif 000004
【図３】
2004260560.tif 000005
【図４】
2004260560.tif 000006
【図５】
2004260560.tif 000007